(57)【要約】本発明は光路に沿って使用者の通常の視野方向に投射される画像を生成する投射モジュールを含む特に自動車用のディスプレイ装置に関する。ディスプレイ装置は休止位置と表示位置との間で移動できる反射／表示素子を含み、ディスプレイ装置は反射／表示素子が支持体により休止位置と表示位置の間を移動させられるように反射／表示素子用の支持体を含む。反射／表示素子の休止位置は支持体の休止位置に対応し、反射／表示素子の表示位置は支持体の表示位置に対応し、反射／表示素子は休止位置と表示位置の間で少なくとも部分的に回転運動を行い、反射／表示素子の支持体は休止位置と表示位置の間で少なくとも部分的に並進運動を行う。反射／表示素子と支持体は第１、第２、第３及び第４表面によって連結され、第１及び第２表面は第１半径を有する曲面であり、第３及び第４表面は第２半径を有する平面又は曲面であり、第２半径は第１半径の少なくとも２倍である。
2017516136.tif 000002
【特許請求の範囲】
【請求項１】
特に自動車用のディスプレイ装置（１０）であって、光路（１２）に沿って前記ディスプレイ装置（１０）の使用者の通常の視野方向（１５）に投射するための画像を生成する投射モジュール（１１）を含み、
前記ディスプレイ装置（１０）は反射及び／又は表示素子（１３）を含み、前記反射及び／又は表示素子（１３）は休止位置と少なくとも一つの表示位置との間で移動させることができ、
前記ディスプレイ装置（１０）は前記反射及び／又は表示素子（１３）が支持体（１６）によりその休止位置とその少なくとも一つの表示位置との間で移動させられるように前記反射及び／又は表示素子（１３）のための支持体（１６）を含み、
前記反射及び／又は表示素子（１３）の休止位置は前記反射及び／又は表示素子（１３）の支持体の休止位置に対応し、前記反射及び／又は表示素子（１３）の表示位置は前記反射及び／又は表示素子（１３）の支持体（１６）の表示位置に対応し、前記反射及び／又は表示素子（１３）はその休止位置と表示位置との間で少なくとも部分的に回転運動を行い、前記反射及び／又は表示素子（１３）の支持体（１６）はその休止位置と表示位置との間で少なくとも部分的に並進運動を行い、
前記反射及び／又は表示素子（１３）と前記支持体（１６）は第１、第２、第３及び第４の表面よって接続され、前記第１及び第２の表面は第１の半径を有する曲面であり、第３及び第４の表面は第２の半径を有する平面又は曲面であり、前記第２の半径は前記第１の半径の少なくとも２倍に相当する、ディスプレイ装置（１０）。
【請求項２】
前記第１及び第２の表面は前記反射及び／又は表示素子（１３）の表面であり、前記第３及び第４の表面は前記反射及び／又は表示素子（１３）の支持体（１６）の表面であり、前記第１及び第３の表面と前記第２及び第４の表面はばね（１８）によって互いに押し付けられる、請求項１に記載のディスプレイ装置（１０）。
【請求項３】
前記ばねは、前記第１及び第３の表面と前記第２及び第４の表面が前記反射及び／又は表示素子（１３）と前記支持体（１６）と相対的な回転運動を可能にするように構成されている、請求項１又は２に記載のディスプレイ装置（１０）。
【請求項４】
前記ばねの押圧力の方向は、本質的に、一方で前記第１及び第３の表面の接触点と他方で前記第２及び第４の表面の接触点とを結ぶ直線に対して平行である、請求項１から３のいずれか一項に記載のディスプレイ装置（１０）。
【請求項５】
前記反射及び／又は表示素子（１３）は複数の異なる表示位置に配置できる、請求項１から４のいずれか一項に記載のディスプレイ装置（１０）。
【請求項６】
前記反射及び／又は表示素子（１３）の異なる表示位置の間で、前記反射及び／又は表示素子（１３）は回転及び／又は並進運動を受ける、請求項１から５のいずれか一項に記載のディスプレイ装置（１０）。
【請求項７】
前記反射及び／又は表示素子（１３）はその休止位置とその少なくとも一つの表示位置との間でモーター素子によって駆動される、請求項１から６のいずれか一項に記載のディスプレイ装置（１０）。
【発明の詳細な説明】
【技術分野】
【０００１】
本発明は、特に自動車用のディスプレイ装置に関する。
【背景技術】
【０００２】
特に特許文献１に記載されるようにフロントガラスへの又は反射素子への画像の投射を含む、ヘッドアップディスプレイ（ＨＵＤ）型のディスプレイ装置が知られている。
【０００３】
ヘッドアップディスプレイ装置は、自動車の運転者が自動車の前方の空間から目を離すことなく情報を読み取ることができるように、この情報が自動車の前方の空間の視野内に投射されることを可能にする。同時に、情報は車両の運転者の目の調節を変えることなく読み取られることができる。
【０００４】
車両の使用者のニーズに応じて、車両の使用者の頭部（又は目）の複数の位置で反射及び／又は表示素子を使用できることが有利である。
【０００５】
このような既知の従来技術の装置の欠点は、反射及び／又は表示素子と反射及び／又は表示素子の支持体との連結を形成するのに比較的多大な労力が必要とされることである。特許文献２はばねを使用することを提案しているが、これはディスプレイ装置のための比較的高いコストをもたらす。
【先行技術文献】
【特許文献】
【０００６】
【特許文献１】米国特許第５２１４４１３号明細書
【特許文献２】独国特許発明第１０１４４４９１号明細書
【発明の概要】
【発明が解決しようとする課題】
【０００７】
本発明の目的は、特に従来技術の欠点、特に上記のものを克服することであり、上記目的はまた、低コストでその支持体に確実に接続される反射及び／又は表示素子を有するヘッドアップディスプレイ装置を提案することである。
【課題を解決するための手段】
【０００８】
本発明によれば、この目的は、特に自動車用のディスプレイ装置であって、光路に沿ってディスプレイ装置の使用者の通常の視野方向に投射するための画像を生成する投射モジュールを含み、
ディスプレイ装置は反射及び／又は表示素子を含み、反射及び／又は表示素子は休止位置と少なくとも一つの表示位置との間で移動させることができ、
ディスプレイ装置は反射及び／又は表示素子が支持体によりその休止位置とその少なくとも一つの表示位置との間で移動させられるように反射及び／又は表示素子のための支持体を含み、
反射及び／又は表示素子の休止位置は反射及び／又は表示素子の支持体の休止位置に対応し、反射及び／又は表示素子の表示位置は反射及び／又は表示素子の支持体の表示位置に対応し、反射及び／又は表示素子はその休止位置と表示位置との間で少なくとも部分的に回転運動を行い、反射及び／又は表示素子の支持体はその休止位置と表示位置との間で少なくとも部分的に並進運動を行い、
反射及び／又は表示素子と支持体は第１、第２、第３及び第４の表面よって接続され、第１及び第２の表面は第１の半径を有する曲面であり、第３及び第４の表面は第２の半径を有する平面又は曲面であり、第２の半径は第１の半径の少なくとも２倍に相当するディスプレイ装置によって達成される。
【０００９】
ディスプレイ装置のこのような実施形態によって、有利なことに簡単且つ安価な方法で反射及び／又は表示素子とその支持体との間の連結を形成することができる。
【００１０】
本発明の別の好ましい改良は、第１及び第２の表面が反射及び／又は表示素子（１３）の表面であり、第３及び第４の表面が反射及び／又は表示素子（１３）の支持体（１６）の表面であり、第１及び第３の表面と第２及び第４の表面がばね（１８）によって互いに押し付けられることにある。
【００１１】
本発明の別の好ましい改良は、第１及び第３の表面と第２及び第４の表面が反射及び／又は表示素子（１３）と支持体（１６）との相対的な回転運動を可能にするようにばね（１８）が構成されていることにある。
【００１２】
本発明の一変形例では、ばね（１８）の押圧力の方向が本質的に、一方で第１及び第３の表面の接触点と他方で第２及び第４の表面の接触点とを結ぶ直線に対して平行であることも好ましい。
【００１３】
本発明の一つの好ましい改良は、反射及び／又は表示素子が複数の異なる表示位置に配置できることにある。
【００１４】
本発明の一つの好ましい改良は、反射及び／又は表示素子の異なる表示位置の間で、反射及び／又は表示素子が回転及び／又は並進運動を受けることにある。
【００１５】
本発明の更に別の好ましい改良は、反射及び／又は表示素子がその休止位置と少なくとも一つの表示位置との間でモーター素子によって駆動されることにある。
【００１６】
本発明の他の特徴及び利点は、本発明の特定の非限定的な実施形態に関する以下の説明を読めば明らかであろう。
【図面の簡単な説明】
【００１７】
本発明は、非限定的な例として与えられ且つ添付の概略図面を参照して説明される好ましい実施形態に関する以下の説明からより良く理解されるであろう。
【図１】本発明によるディスプレイ装置の概略断面図である。
【図２】反射及び／又は表示素子を有する本発明によるディスプレイ装置の一部の概略断面図である。
【図３】反射及び／又は表示素子を有する本発明によるディスプレイ装置の一部の概略斜視図である。
【発明を実施するための形態】
【００１８】
添付図面の図１に示されるように、本発明によるディスプレイ装置１０は、光路１２内にディスプレイ装置１０の使用者の通常の視野方向１５に画像を生成する投射モジュール１１を含む。
【００１９】
光路１２は通常は、少なくとも１つの反射及び／又は表示素子１３を含む。このようにして、光路１２は図１に示されるように（単一の）反射素子を含むことができる。また、光路２は２つの反射素子を含むこともできる。ディスプレイ装置１０は、反射素子１３又は表示素子（例えば、薄膜トランジスタ、ＴＦＴなど）又は反射及び表示素子のいずれかで製造されることができる。
【００２０】
通常の視野方向１５は、ディスプレイ装置１０の使用者、特に車両の運転者の、この人が特にフロントガラス１４を通して車両の前方の外側領域を見ているときの視線方向である。
【００２１】
本発明によれば、反射及び／又は表示素子１３は、フロントガラス１４から離間して配置された要素である。本発明の好ましい実施形態によれば、反射及び／又は表示素子１３は、休止位置と少なくとも一つの表示位置とに配置されることができる。反射及び／又は表示素子１３がその休止位置に配置されているとき、反射及び／又は表示素子１３は、例えばディスプレイ装置１０のハウジング内に配置されている。
【００２２】
反射及び／又は表示素子１３がその表示位置に配置されているとき、ディスプレイ装置の使用者が反射及び／又は表示素子１３を通して見ることができるように、反射及び／又は表示素子１３は通常は直立に又は実質的に垂直に配置されている。反射及び／又は表示素子１３の休止位置と表示位置との位置の変更は、回転及び／又は並進運動によって行われる。
【００２３】
反射及び／又は表示素子１３の異なる位置が異なる表示位置に対応し、使用者の頭部の異なる高さに適合されることができる。反射及び／又は表示素子１３は通常は、直接又は伝動要素を介してモーター素子によって駆動される。モーター素子は、特にリニアモーター素子又は回転モーター素子、特に電気ステッピングモーター素子であることができる。
【００２４】
本発明によれば、支持要素１６又は支持体１６が反射及び／又は表示素子１３と結合されている。支持体１６又は支持要素１６は、異なる位置決め状態の間で特にモーター素子によって駆動されることができる。
【００２５】
図２は、本発明によるディスプレイ装置の一部の概略断面図である。反射及び／又は表示素子１３は、矢印１３’で示されるように回転移動させることができる。反射及び／又は表示素子１３の支持体１６の並進運動が、矢印１６’で示されるように回転運動に対応する。この動きを可能にするために、反射及び／又は表示素子１３に第１の表面及び第２の表面が設けられ、支持体１３に第３及び第４の表面が設けられている。
【００２６】
第１及び第２の表面は反射及び／又は表示素子１３の表面であり、第３及び第４の表面は反射及び／又は表示素子１３の支持体１６の表面である。
【００２７】
第１及び第３の表面は、符号１８によって示される位置に設けられている。第２及び第４の表面は、符号１７によって示される位置に設けられている。符号１８の位置には、第１及び第３の表面の間と第２及び第４の表面との間の遊びを避けるためにばねが設けられている。
【００２８】
反射及び／又は表示素子１３と支持体１６は、面によって、第１の（より小さい）半径を有する曲面である第１及び第２の表面と、第２の（より大きい）半径を有する平面又は曲面である第３及び第４の表面とによって接続されている。本発明によれば、第２の半径は第１の半径の少なくとも２倍に相当するが、実際には明らかに大きい半径の割合の値が可能である。第３及び第４の表面が平面である場合、その半径は非常に大きい値に相当する。
【００２９】
図３は、反射及び／又は表示素子１３を有する本発明によるディスプレイ装置１０の一部の概略斜視図を示す。
【符号の説明】
【００３０】
１０  ディスプレイ装置
１１  投射モジュール
１２  光路
１３  反射及び／又は表示素子
１３’  回転運動
１４  フロントガラス
１５  通常の視野方向
１６  支持体
１６’  並進運動
１７  第２及び第４の表面の位置
１８  第１及び第３の表面の位置
【図１】
2017516136.tif 000003
【図２】
2017516136.tif 000004
【図３】
2017516136.tif 000005
【国際調査報告】
2017516136.tif 000006
2017516136.tif 000007
2017516136.tif 000008
2017516136.tif 000009